【手続補正書】
【提出日】平成22年2月10日(2010.2.10)
【手続補正１】
【補正対象書類名】特許請求の範囲
【補正対象項目名】全文
【補正方法】変更
【補正の内容】
【特許請求の範囲】
【請求項１】
患者の病状を治療するために使用する移植型医療機器であって、
患者の脳神経の一部に、マイクロバーストあたりのパルス数と、インターパルス間隔と、インターバースト周期と、マイクロバースト継続時間とを有することを特徴とする電気信号を印加するための手段を含み、脳神経誘発電位を強化するために、該マイクロバーストあたりのパルス数、該インターパルス間隔、該マイクロバースト継続時間、または該インターバースト周期のうちの少なくとも１つが選択される、機器。
【請求項２】
前記インターバースト周期は、少なくとも１００ミリ秒であり、マイクロバーストあたりの前記パルス数は、２パルスから約２５パルスであり、前記インターパルス間隔は、約５０ミリ秒以下であり、前記マイクロバースト継続時間は、約１秒未満である、請求項１に記載の機器。
【請求項３】
前記マイクロバーストあたりのパルス数が、２から約１５であるか、または、前記マイクロバースト継続時間が、約１０ミリ秒から約８０ミリ秒である、請求項２に記載の機器。
【請求項４】
前記脳神経に連結された電極が提供され、前記機器は該電極に連結されるプログラム可能な電気信号発生器をさらに含み、前記脳神経に電気信号を印加する手段は、該電極に、該電気信号発生器によって生成された該電気信号を印加する、請求項１に記載の機器。
【請求項５】
前記脳神経に前記電気信号を印加する手段は、第２の期間中に印加し、かつ、前記電極は、第１の期間中に該脳神経に１次モードの電気刺激を印加し、該１次モードは、バーストにつき５０より多いパルス、または少なくとも約７秒のバーストの継続時間を有する、請求項１に記載の機器。
【請求項６】
脳神経に前記電気信号を印加する手段は、前記患者の迷走神経に該電気信号を印加する、請求項１に記載の機器。
【請求項７】
患者の病状を治療するシステムであって、
該患者の少なくとも１つの脳神経に連結された少なくとも１つの電極と、
該電極に連結されるプログラム可能な電気信号発生器であって、
該電気信号発生器は、該患者の脳神経の一部に対して、マイクロバーストあたりのパルス数と、インターパルス間隔と、インターバースト周期と、マイクロバースト継続時間とを有することを特徴とする電気信号を生成し、該マイクロバーストあたりのパルス数、該インターパルス間隔、該マイクロバースト継続時間、または該インターバースト周期のうちの少なくとも１つを選択することにより、該電気信号発生器を用いて脳神経誘発電位を強化する、電気信号発生器と、
病状を治療するために該電極に該電気信号を印加する手段と
を含む、システム。
【請求項８】
前記電気信号は、第１の信号を備え、前記脳神経に該電気信号を印加する手段は、第１の期間中に実行され、かつ、前記電極は、第２の期間中に、該脳神経に該第１の信号とは異なる第２の電気信号を印加し、該第２の電気信号は、バーストにつき約５０より多いパルス、または少なくとも約７秒のバーストの継続時間を有する、請求項７に記載のシステム。
【請求項９】
コンピュータによって実行されると、方法を行う命令に関してコード化される、コンピュータ読み取り可能プログラム記憶装置であって、該方法は、
患者の脳神経の一部に対して、マイクロバーストあたりのパルス数と、インターパルス間隔と、インターバースト周期と、マイクロバースト継続時間とを有することを特徴とする電気信号を生成することであって、該マイクロバーストあたりのパルス数、該インターパルス間隔、該マイクロバースト継続時間、または該インターバースト周期のうちの少なくとも１つを選択することにより、該電気信号発生器を用いて脳神経誘発電位を強化する、ことと、
脳神経誘発電位を強化するために電極を使用することによって、該患者の脳神経に該電気信号を提供することと
を含む、コンピュータ読み取り可能プログラム記憶装置。
【請求項１０】
コンピュータによって実行されると請求項９に記載の方法を行う命令に関してコード化される、コンピュータ読み取り可能プログラム記憶装置であって、前記電気信号は、制御された電流電気信号である、コンピュータ読み取り可能プログラム記憶装置。
【請求項１１】
コンピュータによって実行されると請求項９に記載の方法を行う命令に関してコード化される、コンピュータ読み取り可能プログラム記憶装置であって、前記電気信号は、マイクロバースト継続時間を有することをさらに特徴とする、コンピュータ読み取り可能プログラム記憶装置。
【請求項１２】
コンピュータによって実行されると請求項１１に記載の方法を行う命令に関してコード化される、コンピュータ読み取り可能プログラム記憶装置であって、前記インターバースト周期は、少なくとも約１００ミリ秒であり、前記マイクロバーストあたりのパルス数は、２パルスから約２５パルスであり、前記インターパルス間隔は、約１ミリ秒から約５０ミリ秒であり、または前記マイクロバースト継続時間は、約１秒以下である、コンピュータ読み取り可能プログラム記憶装置。
【請求項１３】
病状を治療するシステムであって、
患者の少なくとも１つの脳神経に連結される少なくとも１つの電極と、
該電極に動作可能に連結され、かつ、該患者の脳神経の一部に、マイクロバーストあたりのパルス数と、インターパルス間隔と、インターバースト周期と、マイクロバースト継続時間とを有することを特徴とする電気信号を印加することが可能な電気信号発生器を備えている移植型機器であって、該マイクロバーストあたりのパルス数、該インターパルス間隔、該マイクロバースト継続時間、または該インターバースト周期のうちの少なくとも１つを選択することにより、脳神経誘発電位を強化するための該電極を使用して、該脳神経への脳神経誘発電位を強化する、移植型機器と
を備える、システム。
【請求項１４】
前記電極は、左迷走神経と、右迷走神経と、舌咽神経と、三叉神経とから成る群より選択される少なくとも１つの脳神経に連結される、請求項１３に記載の病状を治療するシステム。
【請求項１５】
前記電気信号発生器は、プログラム可能な電気信号発生器である、請求項１３に記載の病状を治療するシステム。
【請求項１６】
前記インターバースト周期は、少なくとも１００ミリ秒であり、前記マイクロバーストあたりのパルス数は、２パルスから約２５パルスであり、前記インターパルス間隔は、約１ミリ秒から約５０ミリ秒であり、または前記マイクロバースト継続時間は約２ミリ秒から約１秒である、請求項１５に記載の病状を治療するシステム。
【請求項１７】
前記電気信号発生器に少なくとも１つの信号を送達することが可能な検出通信機をさらに備えており、該電気信号発生器は、該少なくとも１つの検出通信機からの電気信号を受信次第、該電気信号を印加することが可能である、請求項１３に記載の病状を治療するシステム。
【請求項１８】
患者の病状を治療するために使用する移植型医療機器であって、
患者の脳神経の一部に、少なくとも１００ミリ秒のインターバースト周期と、マイクロバーストにつき２パルスから約２５パルスと、約１ミリ秒から約５０ミリ秒のインターパルス間隔と、１秒以下のマイクロバースト継続時間とを有することを特徴とする電気信号を印加する手段を含む、機器。
【請求項１９】
脳神経の一部に前記電気信号を印加する手段は、前記患者の迷走神経に該電気信号を印加する、請求項１８に記載の機器。
【請求項２０】
脳神経誘発電位を強化するために、前記インターバースト周期、前記バーストあたりのパルス数、前記インターパルス間隔、および前記マイクロバースト継続時間のうちの少なくとも１つが選択される、請求項１８に記載の機器。
【請求項２１】
患者の病状を治療する使用する移植型医療機器であって、
第１の期間中に、患者の迷走神経に第１の電気信号を印加する手段であって、該第１の電気信号は、バーストにつき約５０より多いステップ、または少なくとも約７秒のバーストの継続時間を有する手段と、
該第２の期間中に、該患者の迷走神経に第２の電気信号を印加する手段であって、該第２の電気信号は、少なくとも１００ミリ秒のインターバースト周期と、バーストにつき２から約２５パルスと、約１ミリ秒から約５０ミリ秒のインターパルス間隔と、約２ミリ秒から約１秒のバーストの継続時間とを有する、手段と
を含む、機器。
【請求項２２】
患者の病状を治療する使用する移植型医療機器であって、
患者の脳神経の一部にマイクロバースト電気信号を印加する手段を含み、該マイクロバーストは、脳神経誘発電位を強化する、機器。
【請求項２３】
前記マイクロバースト電気信号は、マイクロバーストあたりのパルス数と、インターパルス間隔と、インターバースト周期と、マイクロバースト継続時間とを有することを特徴としており、脳神経誘発電位を強化するために、該マイクロバーストあたりのパルス数、該インターパルス間隔、該マイクロバースト継続時間、または該インターバースト周期のうちの少なくとも１つが選択される、請求項２２に記載の機器。